(57)【要約】  座席構造体は、フレーム、キャリア、及び懸架材料を含む。フレームは、第１の方向で離間して配置され且つ開口を間に定める第１及び第２のサイドフレーム部材を含む。第１及び第２のサイドフレーム部材は、開口に面する内側部分と開口から外方に面する外側部分とを有し、該外側部分が、第１の方向で第１及び第２のサイドフレーム部材から外方に面する複数の第１の取付特徴要素を含む。キャリアは、第１及び第２のサイドキャリア部材を含む。第１及び第２のサイドキャリア部材は、第１の方向で第１及び第２のサイドフレーム部材に面する複数の第２の取付特徴要素を含み、該複数の第２の取付特徴要素が、複数の第１の取付特徴要素を係合してキャリアをフレームに取り付ける。懸架材料は、キャリアに取り付けられ、フレームにおいて開口にわたって延びる。【選択図】図２Ａ
2018519101.tif 000002
【特許請求の範囲】
【請求項１】
第１の方向で離間して配置され且つ開口を間に定める第１及び第２のサイドフレーム部材を含むフレームであって、前記第１及び第２のサイドフレーム部材が各々、前記開口に面する内側部分と前記開口から外方に面する外側部分とを有し、該外側部分が、前記第１の方向で前記第１及び第２のサイドフレーム部材から外方に面する複数の第１の取付特徴要素を含む、フレームと、
第１及び第２のサイドキャリア部材を含むキャリアであって、前記第１及び第２のサイドキャリア部材が各々、前記第１の方向で前記第１及び第２のサイドフレーム部材に面する複数の第２の取付特徴要素を含み、該複数の第２の取付特徴要素が、前記複数の第１の取付特徴要素を係合して前記キャリアを前記フレームに取り付ける、キャリアと、
前記キャリアに取り付けられ、前記フレームにおいて前記開口にわたって延びる懸架材料と、を備えている、
ことを特徴とする座席構造体。
【請求項２】
前記フレームは、前記第１及び第２のサイドフレーム部材間にわたって延びてこれらに連結される第１及び第２のクロスフレーム部材を含み、前記第１及び第２のクロスフレーム部材は、前記第１の方向を横断する第２の方向で離間して配置され、前記キャリアは、前記第１及び第２のサイドキャリア部材と、該第１及び第２のサイドキャリア部材の間にわたって延び且つこれらに連結される第１及び第２のクロスキャリア部材とによって形成される連続リングであり、前記第１及び第２のクロスキャリア部材は、前記第１の方向を横断する前記第２の方向で離間して配置されている、
請求項１に記載の座席構造体。
【請求項３】
前記第１及び第２のクロスフレーム部材は各々、前記開口に面する内側部分と前記開口から外方に面する外側部分とを有し、該外側部分の各々はまた、前記第１の方向で前記第１及び第２のクロスフレーム部材から外方に面して前記複数の第１の取付特徴要素を含み、前記第１及び第２のクロスキャリア部材の各々はまた、前記第１の方向で前記第１及び第２のクロスフレーム部材に面して前記複数の第２の取付特徴要素を有している、
請求項２に記載の座席構造体。
【請求項４】
前記複数の第１の取付特徴要素は歯状部を含み、前記複数の第２の取付特徴要素は前記歯状部を受けるアパーチャを有している、
請求項１に記載の座席構造体。
【請求項５】
前記アパーチャは、前記歯状部が前記開口から外方に面する前記キャリアの側部上で前記アパーチャを通じて視認できるようにするため、前記第１及び第２のサイドキャリア部材に貫通開口を定めている、
請求項４に記載の座席構造体。
【請求項６】
前記キャリアは、上側部分、下側部分、及び前記上側部分及び下側部分の間に延びる複数の離間して配置されたポストと、を有し、該複数の離間して配置されたポストがアパーチャを定めている、
請求項５に記載の座席構造体。
【請求項７】
前記第１及び第２のサイドキャリア部材の各々は、外方に開いたチャンネルを間に定める、離間して配置された上側及び下側リップを含み、前記チャンネルが前記開口から外方に面している、
請求項６に記載の座席構造体。
【請求項８】
前記各上側リップは、内方に延びて前記懸架材料の少なくとも一部の上に載る、
請求項７に記載の座席構造体。
【請求項９】
前記キャリアは、前記フレームの外側部分に近接した内側セクションから該内側セクションから外方に離間した外側セクションまで下向きに湾曲した最上面を有している、
請求項１に記載の座席構造体。
【請求項１０】
基部と、
前記基部から垂直方向に延びる支持コラムと、
前記基部の反対側で前記支持コラムの端部に結合される傾斜機構と、を更に備えている、
請求項１に記載の座席構造体。
【請求項１１】
前記フレームは、座部又は背もたれを定め、前記懸架材料は、着座面又は背もたれ面を形成している、
請求項１に記載の座席構造体。
【請求項１２】
前記フレームは、座部及び背もたれの両方を定め、前記懸架材料は、連続した着座面及び背もたれ面を形成している、
請求項１に記載の座席構造体。
【請求項１３】
前記フレーム、前記キャリア、及び前記懸架材料がアームレストを形成している、
請求項１に記載の座席構造体。
【請求項１４】
前記懸架材料は、前記キャリア内に成形されている、
請求項１に記載の座席構造体。
【請求項１５】
第１の方向で離間して配置され且つ開口を間に定める第１及び第２のクロスフレーム部材を含むフレームであって、前記第１及び第２のクロスフレーム部材は各々、前記開口に面する内側部分と、前記開口から外方に面する外側部分と、前記内側部分及び前記外側部分間に配置される上面とを有する、フレームと、
前記第１の方向で離間して配置され且つ前記フレームに結合された第１及び第２のクロスキャリア部材を含むキャリアであって、前記第１のクロスキャリア部材が、前記第１のクロスフレーム部材の上面に載る上側リップと、該上側リップから延びる複数のリブとを有し、前記複数のリブが、前記第１のクロスフレーム部材の上面を係合し且つ前記第１のクロスフレーム部材の上面の上方で前記上側リップを支持する、キャリアと、
前記キャリアの上側リップに埋め込まれた懸架材料と、を備え、
前記上側リップが、前記懸架材料の第１の面を覆い、前記複数のリブが、前記懸架材料の第２の面から外方に延びている、
ことを特徴とする座席構造体。
【請求項１６】
前記複数のリブは、互いに独立して撓み可能な離散的要素を有している、
請求項１５に記載の座席構造体。
【請求項１７】
前記キャリアは、該キャリアの第１の側部と該キャリアの対向する第２の側部との間に定められる引張線を定め、前記各リブの一部が前記引張線の上方に延びている、
請求項１５に記載の座席構造体。
【請求項１８】
前記複数のリブは、前記引張線の上方で前記懸架材料の少なくとも一部を支持している、
請求項１７に記載の座席構造体。
【請求項１９】
座部及び背もたれを更に備え、前記フレーム、前記キャリア、及び前記懸架材料が少なくとも前記座部を定め、前記第１のクロスフレーム部材が、前記背もたれの反対側で前記座部の前方縁部を形成している、
請求項１５に記載の座席構造体。
【請求項２０】
第１のフレーム部材及び第２のフレーム部材を含む複数のフレーム部材から構成され、前記複数のフレーム部材の間に開口を定めるフレームであって、前記第１のフレーム部材が、該第１のフレーム部材の第１の端部から延びるボスと、該ボスに移動可能に結合されたタブとを有し、前記第２のフレーム部材が、該第２のフレーム部材の縁部に形成されるボアと、該ボアに隣接した前記第２のフレーム部材の面に形成される凹部とを有し、前記ボアが、前記ボスを受けて前記第１のフレーム部材を前記第２のフレーム部材と整列させ、前記凹部が前記タブを受けて前記ボア内に前記ボスを固定する、フレームと、
前記第１のフレーム部材及び前記第２のフレーム部材に取り付けられるキャリアと、
前記キャリアに取り付けられ、前記フレームにおいて前記開口にわたって延びる懸架材料と、を備えている、
ことを特徴とする座席構造体。
【請求項２１】
前記タブは、前記ボス上で片持ちにされている、
請求項２０に記載の座席構造体。
【請求項２２】
前記タブは、前記凹部に受けられる拡大遠位端部分を有している、
請求項２１に記載の座席構造体。
【請求項２３】
前記凹部は、前記第２のフレーム部材の外面を通って形成される貫通孔である、
請求項２０に記載の座席構造体。
【請求項２４】
前記タブは、追加の締結具なしで前記第１及び第２のフレーム部材を共に固定する、
請求項２０に記載の座席構造体。
【請求項２５】
前記第１のフレーム部材は更に、前記第１の端部の反対側にある前記第１のフレーム部材の第２の端部から延びる第２のボスと、該第２のボスに移動可能に結合された第２のタブとを含み、前記複数のフレーム部材は更に第３のフレーム部材を含み、前記第３のフレーム部材が、該第３のフレーム部材の縁部に形成されたボアと、前記ボアに隣接して前記第３のフレーム部材の面に形成された凹部とを有し、前記第３のフレーム部材のボアは、前記第２のボスを受けて、前記第１のフレーム部材を前記第３のフレーム部材と整列させ、前記第３のフレーム部材の凹部は、前記第２のタブを受けて前記ボア内に前記ボスを固定している、
請求項２０に記載の座席構造体。
【請求項２６】
前記第１のフレーム部材の外面は、前記ボスが前記凹部に受けられたときに、前記第２のフレーム部材の外面と実質的に同じ高さで整列されている、
請求項２０に記載の座席構造体。
【請求項２７】
前記第１のフレーム部材及び前記第２のフレーム部材が、背もたれを少なくとも部分的に定めている、
請求項２０に記載の座席構造体。
【請求項２８】
座席構造体を組み立てる方法であって、
第１の方向で離間して配置され且つ開口を間に定める第１及び第２のサイドフレーム部材を含むフレームを提供するステップであって、前記第１及び第２のサイドフレーム部材が各々、前記開口に面する内側部分と前記開口から外方に面する外側部分とを有し、該外側部分が各々、前記第１の方向で前記第１及び第２のサイドフレーム部材から外方に面する複数の第１の取付特徴要素を含む、ステップと、
第１及び第２のサイドキャリア部材を含むキャリアを提供するステップであって、前記第１及び第２のサイドキャリア部材が各々、前記第１の方向で前記第１及び第２のサイドフレーム部材に面する複数の第２の取付特徴要素を含む、ステップと、
前記キャリアに懸架材料を取り付けるステップと、
前記キャリアを前記フレームに取り付けて前記懸架材料が前記フレームにおいて前記開口にわたって延びるように、前記複数の第２の取付特徴要素を前記複数の第１の取付特徴要素と係合するステップと、を含む、
ことを特徴とする方法。
【請求項２９】
前記フレームを提供するステップは、前記第１及び第２のサイドフレーム部材間にわたって延びてこれらに連結される第１及び第２のクロスフレーム部材を提供するステップを含み、前記第１及び第２のクロスフレーム部材は、前記第１の方向を横断する第２の方向で離間して配置され、
前記キャリアを提供するステップは、前記第１及び第２のサイドキャリア部材と、該第１及び第２のサイドキャリア部材の間にわたって延び且つこれらに連結される第１及び第２のクロスキャリア部材とによって形成される連続リングを提供するステップを含み、
前記第１及び第２のクロスキャリア部材は、前記第１の方向を横断する前記第２の方向で離間して配置される、
請求項２８に記載の方法。
【請求項３０】
前記複数の第１の取付特徴要素は歯状部を含み、前記複数の第２の取付特徴要素は前記歯状部を受けるアパーチャを含み、前記複数の第２の取付特徴要素を前記複数の第１の取付特徴要素と係合するステップが、前記歯状部を前記アパーチャに連続的に挿入するステップを含む、
請求項２８に記載の方法。
【請求項３１】
前記キャリアの周囲に工具を移動させて、前記複数の第２の取付特徴要素を押し付けて前記複数の第１の取付特徴要素と係合させるステップを更に含む、
請求項２８に記載の方法。
【請求項３２】
前記キャリアが、上側リップと下側リップとの間に形成される外方に開いたチャンネルを定め、前記キャリアの周囲に工具を移動させるステップが、前記チャンネル内に前記工具を移動させるステップを含む、
請求項３１に記載の方法。
【請求項３３】
前記フレームにより座部又は背もたれを定め、前記懸架材料により着座面又は背もたれ面を形成するステップを更に含む、
請求項２８に記載の方法。
【請求項３４】
前記フレームにより座部及び背もたれの両方を定め、前記懸架材料により連続した着座面及び背もたれ面を形成するステップを更に含む、
請求項２８に記載の方法。
【請求項３５】
前記フレームによりアームレストを定め、前記懸架材料によりアームレスト面を形成するステップを更に含む、
請求項２８に記載の方法。
【請求項３６】
前記懸架材料を前記キャリアに取り付けるステップが、前記懸架材料を前記キャリア内に成形するステップを含む、
請求項２８に記載の方法。
【発明の詳細な説明】
【技術分野】
【０００１】
（関連出願の相互参照）
本出願は、２０１５年６月２９日出願の米国仮出願第６２／１８５，９３２号及び２０１５年１２月１１日出願の米国仮出願第６２／２６６，２００号に対して優先権を主張し、これらは、引用により内容全体が本明細書に組み込まれる。
本発明は、懸架材料用の取付構造体を含む、チェア（椅子）又はスツールのような懸架座席構造体及びその製造及び使用方法に関する。
【背景技術】
【０００２】
懸架座席構造体は、開口を覆ってフレームに固定される懸架材料を有することができる。多くの場合、懸架材料は、開口を覆って引張状態にされる。
【発明の概要】
【発明が解決しようとする課題】
【０００３】
懸架材料は、座部として使用される場合、ユーザによって加わる比較的大きな引張荷重を支持できる必要がある。一部の座席構造体において、懸架材料は、フレームによって捕捉又は取り込むことができる。他の座席構造体において、懸架材料は、フレームに連結されたキャリア部材に結合することができる。多くの場合、フレームは、開口の周りにリングを形成し、又は実質的に非線形の外周部を有しており、懸架材料を開口にわたって望ましい引張量に晒すようにキャリアを適切なサイズにしてフレーム上に組み付けることが困難になる。同様に、懸架材料が所要の載荷能力を有することは困難である。
【課題を解決するための手段】
【０００４】
１つの実施形態において、本発明は、第１の方向で離間して配置され且つ開口を間に定める第１及び第２のサイドフレーム部材を有するフレームを含む座席構造体を提供する。第１及び第２のサイドフレーム部材は各々、開口に面する内側部分と開口から外方に面する外側部分とを有する。外側部分は、第１の方向で第１及び第２のサイドフレーム部材から外方に面する複数の第１の取付特徴要素を含む。座席構造体はまた、第１及び第２のサイドキャリア部材を有するキャリアを含む。第１及び第２のサイドキャリア部材は各々、第１の方向で第１及び第２のサイドフレーム部材に面する複数の第２の取付特徴要素を含む。複数の第２の取付特徴要素は、複数の第１の取付特徴要素を係合してキャリアをフレームに取り付ける。座席構造体は更に、キャリアに取り付けられてフレームにおいて開口にわたって延びる懸架材料を含む。
【０００５】
別の実施形態において、本発明は、第１の方向で離間して配置されて且つ開口を間に定める第１及び第２のクロスフレーム部材を有するフレームを含む座席構造体を提供する。第１及び第２のクロスフレーム部材は各々、開口に面する内側部分と、開口から外方に面する外側部分と、内側部分及び外側部分間に配置される上面とを有する。座席構造体はまた、第１の方向で離間して配置され且つフレームに結合された第１及び第２のクロスキャリア部材を有するキャリアを含む。第１及び第２のクロスキャリア部材は、フレームに結合される。第１のクロスキャリア部材は、第１のクロスフレーム部材の上面に載る上側リップと、該上側リップから延びる複数のリブとを有する。複数のリブは、第１のクロスフレーム部材の上面を係合し且つ第１のクロスフレーム部材の上面の上方で上側リップを支持する。座席構造体は更に、キャリアの上側リップに埋め込まれた懸架材料を含む。上側リップは、懸架材料の第１の面を覆い、複数のリブは、懸架材料の第２の面から外方に延びる。
【０００６】
別の実施形態において、本発明は、第１のフレーム部材及び第２のフレーム部材を含む複数のフレーム部材から構成されるフレームを備えた座席構造体を提供する。フレームは、複数のフレーム部材間に開口を定める。第１のフレーム部材は、第１のフレーム部材の第１の端部から延びるボスと、該ボスに移動可能に結合されたタブとを有する。第２のフレーム部材は、該第２のフレーム部材の縁部に形成されるボアと、該ボアに隣接した第２のフレーム部材の面に形成される凹部とを有する。ボアは、ボスを受けて、第１のフレーム部材を第２のフレーム部材と整列させる。凹部は、タブを受けて、ボスをボア内に固定する。座席構造体は更に、第１のフレーム部材及び第２のフレーム部材に取り付けられたキャリアと、キャリアに取り付けられてフレームにおいて開口にわたって延びる懸架材料とを含む。
【０００７】
別の実施形態において、本発明は、座席構造体を組み立てる方法を提供する。本方法は、第１の方向で離間して配置され且つ開口を間に定める第１及び第２のサイドフレーム部材を有するフレームを提供するステップを含む。第１及び第２のサイドフレーム部材は各々、開口に面する内側部分と開口から外方に面する外側部分とを有する。各外側部分は、第１の方向で第１及び第２のサイドフレーム部材から外方に面する複数の第１の取付特徴要素を含む。本方法はまた、第１及び第２のサイドキャリア部材を有するキャリアを提供するステップを含む。サイドキャリア部材は各々、第１の方向で第１及び第２のサイドフレーム部材に面する複数の第２の取付特徴要素を含む。本方法は更に、キャリアに懸架材料を取り付けるステップと、キャリアをフレームに取り付けて懸架材料がフレームにおいて開口にわたって延びるように、複数の第２の取付特徴要素を複数の第１の取付特徴要素と係合するステップとを含む。
【０００８】
本発明の他の態様は、以下の詳細な説明及び添付図面を参照することによって明らかになるであろう。
【図面の簡単な説明】
【０００９】
【図１Ａ】本発明の幾つかの実施形態によるチェアの斜視図である。
【図１Ｂ】本発明の幾つかの実施形態による別のチェアの斜視図である。
【図２Ａ】キャリア及び懸架材料が取り除かれた状態の図１Ａのチェアの斜視図である。
【図２Ｂ】キャリア及び懸架材料が取り除かれた状態の図１Ｂのチェアの斜視図である。
【図３】図２Ｂに示すチェアのフレームの一部の拡大斜視図である。
【図４】図３の切断線４−４から見たフレームの一部の断面図である。
【図５】図１Ｂの切断線５−５から見たチェアのフレーム、キャリア及び懸架材料の一部の断面図である。
【図６】図１Ｂの切断線６−６から見たチェアのフレーム、キャリア及び懸架材料の一部の断面図である。
【図７Ａ】本発明の幾つかの実施形態によるキャリア及びフレームを示す図である。
【図７Ｂ】本発明の幾つかの実施形態によるキャリア及びフレームを示す図である。
【図７Ｃ】本発明の幾つかの実施形態によるキャリア及びフレームを示す図である。
【図７Ｄ】本発明の幾つかの実施形態によるキャリア及びフレームを示す図である。
【図８Ａ】本発明の幾つかの実施形態によるキャリアを示す図である。
【図８Ｂ】本発明の幾つかの実施形態によるキャリアを示す図である。
【図９Ａ】本発明の幾つかの実施形態による、リブを含むキャリアの拡大図である。
【図９Ｂ】本発明の幾つかの実施形態による、リブを含むキャリアの拡大図である。
【図１０Ａ】リブに荷重が係った場合及び係っていない場合のキャリアを示す図である。
【図１０Ｂ】リブに荷重が係った場合及び係っていない場合のキャリアを示す図である。
【図１０Ｃ】リブに荷重が係った場合及び係っていない場合のキャリアを示す図である。
【図１１Ａ】本発明の幾つかの実施形態による、キャリア及びフレームを示す図である。
【図１１Ｂ】本発明の幾つかの実施形態による、キャリア及びフレームを示す図である。
【図１２Ａ】本発明の幾つかの実施形態による、キャリア及びフレームを示す図である。
【図１２Ｂ】本発明の幾つかの実施形態による、キャリア及びフレームを示す図である。
【図１３Ａ】本発明の幾つかの実施形態による、キャリア及びフレームを示す図である。
【図１３Ｂ】本発明の幾つかの実施形態による、キャリア及びフレームを示す図である。
【図１４Ａ】本発明の幾つかの実施形態による、キャリア及びフレームを示す図である。
【図１４Ｂ】本発明の幾つかの実施形態による、キャリア及びフレームを示す図である。
【図１４Ｃ】本発明の幾つかの実施形態による、キャリア及びフレームを示す図である。
【図１５Ａ】本発明の幾つかの実施形態による、キャリア及びフレームを示す図である。
【図１５Ｂ】本発明の幾つかの実施形態による、キャリア及びフレームを示す図である。
【図１５Ｃ】本発明の幾つかの実施形態による、キャリア及びフレームを示す図である。
【図１６Ａ】本発明の幾つかの実施形態による、湾曲キャリア及び湾曲フレームを示す図である。
【図１６Ｂ】本発明の幾つかの実施形態による、湾曲キャリア及び湾曲フレームを示す図である。
【図１７】本発明の幾つかの実施形態による、スツールの拡大図である。
【図１８Ａ】図１７のスツールの図である。
【図１８Ｂ】図１７のスツールの図である。
【図１８Ｃ】図１７のスツールの図である。
【図１９Ａ】本発明の幾つかの実施形態による、キャリアを製造する方法を示す図である。
【図１９Ｂ】本発明の幾つかの実施形態による、キャリアを製造する方法を示す図である。
【図１９Ｃ】本発明の幾つかの実施形態による、キャリアを製造する方法を示す図である。
【図１９Ｄ】本発明の幾つかの実施形態による、キャリアを製造する方法を示す図である。
【図１９Ｅ】本発明の幾つかの実施形態による、キャリアを製造する方法を示す図である。
【図２０】キャリアをフレームに取り付けるのに使用される工具の斜視図である。
【発明を実施するための形態】
【００１０】
本発明の何れかの実施形態が詳細に説明される前に、本発明は、以下の説明で記載される、又は以下の図面に例示される構成要素の構造及び配置の詳細にその用途が限定されないことは理解されるべきである。本発明は、他の実施形態が可能であり、様々な方法で実施又は実行することができる。
【００１１】
図１Ａ〜図１Ｂは、本発明を具現化した座席構造体１０Ａ，１０Ｂを例示している。例示の座席構造体１０Ａ，１０Ｂは、事務用チェアであり、タスクチェアと呼ばれることも多い。各座席構造体１０Ａ，１０Ｂは、基部１４、支持コラム１８、傾斜機構２２（図２Ａ，２Ｂ）、フレーム２６Ａ，２６Ｂ（図２Ａ，２Ｂ）、アームレスト２８Ａ，２８Ｂ、キャリア３０Ａ，３０Ｂ、及び懸架材料３４Ａ，３４Ｂを含む。例示の各実施形態において、基部１４、支持コラム１８、及び傾斜機構２２は同一であり、フレーム２６Ａ，２６Ｂ、キャリア３０Ａ，３０Ｂ、及び懸架材料３４Ａ，３４Ｂは実質的に同様のものである。詳細には、図１Ａに示される座席構造体１０Ａのフレーム２６Ａ、キャリア３０Ａ、及び懸架材料３４Ａは、比較的低い背もたれ３６Ａを有してチェアを形成するよう構成されるが、図１Ｂに示される座席構造体１０Ｂのフレーム２６Ｂ、キャリア３０Ｂ、及び懸架材料３４Ｂは、比較的高い背もたれ３６Ｂを有してチェアを形成するよう構成されている。座席構造体１０Ａ及び１０Ｂ間の他の相違点についても以下で検討する。
【００１２】
図１Ａ〜図１Ｂに示すように、各基部１４は、剛性下部構造体３８、外側カバー４２、及び複数のキャスター４６を含む。剛性下部構造体３８は、座席構造体１０Ａ，１０Ｂの重量を支持する。剛性下部構造体３８は、中央ハブ５４の周りを囲む５つのアーム５０を含む。キャスター４６の１つは、アーム５０の各々の遠位端に取り付けられる。剛性下部構造体３８は、金属、重プラスチック、又は複合材料で作られる。外側カバー４２は、剛性下部構造体３８を覆って位置付けられる。一部の実施形態において、剛性下部構造体３８及び外側カバー４２は、金属又は剛性プラスチックにより一体的に形成してもよい。一部の実施形態において、外側カバー４２は、剛性下部構造体３８上にオーバーモールド（外側被覆）することができる。
【００１３】
図１Ａ〜図１Ｂ及び図２Ａ〜図２Ｂに示すように、各座席構造体１０Ａ，１０Ｂの支持コラム１８は、基部１４から垂直に延びる。支持コラム１８は、下側端部６２、上側端部６６、伸縮自在セグメント７０、及びアクチュエータ７４を含む。支持コラム１８の下側端部６２は、基部１４に回転可能に取り付けられる。支持コラム１８の上側端部６６は、傾斜機構２２に取り付けられる。支持コラム１８は、座部３２Ａ，３２Ｂの高さを変更するよう調整可能な伸縮自在セグメント７０を含む。アクチュエータ７４は、ケーブルガイド及びケーブルを用いて支持コラム１８に取り付けることができる。
【００１４】
図２Ａ〜図２Ｂに示すように、各座席構造体１０Ａ，１０Ｂの傾斜機構２２は、基部１４の反対側で支持コラム１８の上側端部６６に結合され、且つフレーム２６Ａ，２６Ｂの一部に結合される。傾斜機構２２は、フレーム２６Ａ，２６Ｂが支持コラム１８に対して枢動（例えば、傾斜）できるように構成される。
【００１５】
図２Ａ〜図２Ｂに示すように、各座席構造体１０Ａ，１０Ｂのフレーム２６Ａ，２６Ｂは、基部１４の上方で傾斜機構２２によって支持される。各フレーム２６Ａ，２６Ｂは、複数のフレーム部材を含む。より詳細には、各フレーム２６Ａ，２６Ｂは、第１のサイドフレーム部材７８Ａ，７８Ｂ、第２のサイドフレーム部材８２Ａ，８２Ｂ、第１のクロスフレーム部材８６Ａ，８６Ｂ、及び第２のクロスフレーム部材９０Ａ，９０Ｂを含む。第１のサイドフレーム部材７８Ａ，７８Ｂ及び第２のサイドフレーム部材８２Ａ，８２Ｂは、第１の軸線９４Ａ，９４Ｂに沿って離間して配置され、これらの間に開口９８Ａ，９８Ｂを定める。第１のクロスフレーム部材８６Ａ，８６Ｂ及び第２のクロスフレーム部材９０Ａ，９０Ｂは、第１の軸線９４Ａ，９４Ｂに実質的に垂直な第２の軸線１０６Ａ，１０６Ｂに沿って離間して配置される。第１のクロスフレーム部材８６Ａ，８６Ｂ及び第２のクロスフレーム部材９０Ａ，９０Ｂは、開口９８Ａ，９８Ｂにわたって延び、第１のサイドフレーム部材７８Ａ，７８Ｂ及び第２のサイドフレーム部材８２Ａ，８２Ｂに連結される。第１のサイドフレーム部材７８Ａ，７８Ｂ、第２のサイドフレーム部材８２Ａ，８２Ｂ、第１のクロスフレーム部材８６Ａ，８６Ｂ、及び第２のクロスフレーム部材９０Ａ，９０Ｂは各々、開口９８Ａ，９８Ｂに面する内側部分９９Ａ，９９Ｂと、開口９８Ａ，９８Ｂから外方に面する外側部分１００Ａ，１００Ｂとを有する。支持面１０１Ａ，１０１Ｂは、内側部分９９Ａ，９９Ｂと外側部分１００Ａ，１００Ｂとの間を延びる。複数の第１の取付特徴要素１０２Ａ，１０２Ｂは、該複数の第１の取付特徴要素１０２Ａ，１０２Ｂがフレーム２６Ａ，２６Ｂの外周を囲むように外側部分１００Ａ，１００Ｂに沿って配置される。複数の第１の取付特徴要素１０２Ａ，１０２Ｂは、第１のサイドフレーム部材７８Ａ，７８Ｂ、第２のサイドフレーム部材８２Ａ，８２Ｂ、第１のクロスフレーム部材８６Ａ，８６Ｂ、及び第２のクロスフレーム部材９０Ａ，９０Ｂから外方に面する。図５、図６及び図７Ａ〜図７Ｄに示されるように、第１の取付特徴要素１０２Ａ，１０２Ｂは、歯状部１０４Ａ，１０４Ｂである。
【００１６】
例示の実施形態において、第１のサイドフレーム部材７８Ａ，７８Ｂ、第２のサイドフレーム部材８２Ａ，８２Ｂ、第１のクロスフレーム部材８６Ａ，８６Ｂ、及び第２のクロスフレーム部材９０Ａ，９０Ｂは、閉ループ又はリングを形成する。一部の実施形態において、フレーム部材７８Ａ，７８Ｂ、８２Ａ，８２Ｂ、８６Ａ，８６Ｂ、９０Ａ，９０Ｂは、該フレーム部材との間で比較的円滑な移行をもたらし、且つフレーム２６Ａ，２６Ｂに丸みのあるコーナーを提供するよう湾曲している。例示のフレーム２６Ａ，２６Ｂは、別個のフレーム部材から形成されているが、単一の均質なユニットとして形成してもよい。一部の実施形態において、フレーム２６Ａ，２６Ｂは、ガラス充填及びガラス非充填の熱可塑性物質から作られる。
【００１７】
例示の実施形態において、座部３２Ａ，３２Ｂ及び背もたれ３６Ａ，３６Ｂの両方を定めるような曲線輪郭にされる。換言すると、各フレーム２６Ａ，２６Ｂは、連続した座部及び背もたれを定める。第１のクロスフレーム部材８６Ａ，８６Ｂとサイドフレーム部材７８Ａ，７８Ｂ，８２Ａ，８２Ｂの下側部分とが、座部３２Ａ，３２Ｂを定めるようほぼ平坦であり、第２のクロスフレーム部材９０Ａ，９０Ｂとサイドフレーム部材７８Ａ，７８Ｂ，８２Ａ，８２Ｂの上側部分とが、背もたれ３６Ａ，３６Ｂを定めるようにほぼ平坦である。他の実施形態において、各フレーム２６Ａ，２６Ｂは、実質的に平坦であり、座部３２Ａ，３２Ｂのみを定めることができる。別の実施形態において、各フレーム２６Ａ，２６Ｂは、実質的に平坦であり、背もたれ３６Ａ，３６Ｂのみを定めることができる。
【００１８】
図２Ｂ、３及び４に示すように、フレーム２６Ｂは、第３のクロスフレーム部材１０８Ｂを含む。第３のクロスフレーム部材１０８Ｂは、細長本体１１０Ｂ、第１のアーム１１４Ｂ及び第２のアーム１１８Ｂを含む。第１のアーム１１４Ｂ及び第２のアーム１１８Ｂは、細長本体１１０Ｂに実質的に垂直である。一部の実施形態において、湾曲コーナーは、細長本体１１０Ｂと第１のアーム１１４Ｂ及び第２のアーム１１８Ｂとの間に延びる。第３のクロスフレーム部材１０８Ｂの第１のアーム１１４Ｂ及び第２のアーム１１８Ｂは、第１のサイドフレーム部材７８Ａ，７８Ｂ及び第２のサイドフレーム部材８２Ａ，８２Ｂを係合するよう構成される。第３のクロスフレーム部材１０８Ｂが、第１のサイドフレーム部材７８Ｂ及び第２のサイドフレーム部材８２Ｂと係合されると、第３のクロスフレーム部材１０８Ｂの細長本体１１０Ｂは、第２のクロスフレーム部材９０Ｂから垂直方向に離間してその実質的に上方に配置され、より高い背もたれ３６Ｂを形成する。
【００１９】
例示の実施形態において、第３のクロスフレーム部材１０８Ｂは、スナップ嵌め型連結によって第１のサイドフレーム部材７８Ｂ及び第２のサイドフレーム部材８２Ｂに固定される。図３及び４に示すように、第１のアーム１１４Ｂ及び第２のアーム１１８Ｂは実質的に同様であり、第１のサイドフレーム部材７８Ｂ及び第２のサイドフレーム部材８２Ｂは、実質的に同様である。このため、第１のアーム１１４Ｂと第１のサイドフレーム部材７８Ｂのみを以下で詳細に説明することにする。第２のアーム１１８Ｂ及び第２のサイドフレーム部材８２Ｂの同じ要素を示すのに同じ参照符号が使用される。
【００２０】
図３に示すように、第１のアーム１１４Ｂは、該第１のアーム１１４Ｂの端部から延びるボス１２２Ｂと、ボス１２２Ｂに移動可能に結合されたタブ１２６Ｂとを含む。ボス１２２Ｂは、第１のアーム１１４Ｂの残りの部分の断面積よりも小さな断面積を有する。タブ１２６Ｂは、該タブ１２６Ｂがボス１２２Ｂ上で片持ちになり、ボス１２２Ｂに対して移動する（例えば、撓む）ことができるようにスロット１３０Ｂによって囲まれる。タブ１２６Ｂはまた、拡大遠位端部分１３８Ｂを含む。
【００２１】
図３及び４を参照すると、第１のサイドフレーム部材７８Ｂは、該第１のサイドフレーム部材７８Ｂの縁部に形成されたボア１４２Ｂと、該ボア１４２Ｂに隣接して第１のサイドフレーム部材７８Ｂの表面に形成された凹部１４６Ｂとを有する。ボア１４２Ｂは、ボス１２２Ｂを受けるような形状にされる。凹部１４６Ｂは、ボア１４２Ｂを部分的に定める第１のサイドフレーム部材７８Ｂの内面に形成される。例示の実施形態において、凹部１４６Ｂはまた、第１のサイドフレーム部材７８Ｂの外面を通って延びる貫通孔である。他の実施形態において、凹部１４６Ｂは、サイドフレーム部材７８Ｂの内面に形成される窪みとすることができる。凹部１４６Ｂは、タブ１２６Ｂの拡大遠位端部１３８Ｂを受けるように構成される。詳細には、ボス１２２Ｂは、タブ１２６Ｂの拡大遠位端部１３８Ｂが凹部１４６Ｂと整列するまでボア１４２Ｂ内に滑動され、この時点で、タブ１２６Ｂは、外方に（材料の偏位に起因して）且つ凹部１４６Ｂ内にスナップ嵌合して、フレーム部材７８Ｂ，１０８Ｂを共に固定する。ボス１２２Ｂとタブ１２６Ｂ並びにボア１４２Ｂと凹部１４６Ｂにより、追加の締結具又は工具なしで、第３のクロスフレーム部材１０８Ｂを第１及び第２の第１のサイドフレーム部材７８Ｂ，８２Ｂに共に連結する。代替の構成において、第１のサイドフレーム部材７８Ｂは、ボス１２２Ｂとタブ１２６Ｂを含むことができ、第１のアーム１１４Ｂは、ボア１４２Ｂと凹部１４６Ｂを含むことができる。
【００２２】
図２Ａ及び２Ｂに示すように、各座席構造体１０Ａ，１０Ｂのフレーム２６Ａ，２６Ｂは、該フレーム２６Ａ，２６Ｂを支持する支持組立体１５０Ａ，１５０Ｂを含む。支持組立体１５０Ａ，１５０Ｂは、中央脊柱部１５４Ａ，１５４Ｂ、第１の下側支持部材１５８Ａ，１５８Ｂ、及び第２の下側支持部材１６２Ａ，１６２Ｂを含む。中央脊柱部１５４Ａ，１５４Ｂは、実質的にＹ字型であり、第１のアーム１６６Ａ，１６６Ｂ、第２のアーム１７０Ａ，１７０Ｂ、及び第３のアーム１７４Ａ，１７４Ｂを含む。第１のアーム１６６Ａ，１６６Ｂは、第２のクロスフレーム部材９０Ａ，９０Ｂに結合される。一部の実施形態において、第１のアーム１６６Ａ，１６６Ｂは、第２のクロスフレーム部材９０Ａ，９０Ｂと一体的に形成される。中央脊柱部１５４Ａ，１５４Ｂの第２のアーム１７０Ａ，１７０Ｂ及び第３のアーム１７４Ａ，１７４Ｂは、座部３２Ａ，３２Ｂの真下に延びて、第２の下側支持部材１６２Ａ，１６２Ｂを通って傾斜機構２２に結合される。第１の下側支持部材１３４Ａ，１３４Ｂ及び第２の下側支持部材１６２Ａ，１６２Ｂは、第１のサイドフレーム部材７８Ａ，７８Ｂ及び第２のサイドフレーム部材８２Ａ，８２Ｂの真下に横方向に延びている。第１の下側支持部材１５８Ａ，１５８Ｂ及び第２の下側支持部材１６２Ａ，１６２Ｂは、第１のサイドフレーム部材７８Ａ，７８Ｂ及び第２のサイドフレーム部材８２Ａ，８２Ｂに係合するよう構成された、上方に湾曲した端部を含む。
【００２３】
図７Ａ〜図７Ｄを参照すると、歯状部１０４Ａ，１０４Ｂは、フレーム２６Ａ，２６Ｂの外側部分１００Ａ，１００Ｂに沿って等間隔に配置される。各歯状部１０４Ａ，１０４Ｂは、近位端２００Ａ，２００Ｂと、湾曲した遠位端２０４Ａ，２０４Ｂとを有し、これらの間に長さ２０８Ａ，２０８Ｂが定められる。歯状部１０４Ａ，１０４Ｂは、同じ長さを有することができる。歯状部１０４Ａ，１０４Ｂの長さ２０８Ａ，２０８Ｂは、フレーム２６Ａ，２６Ｂの厚み２１２Ａ，２１２Ｂよりも小さい。歯状部１０４Ａ，１０４Ｂは、各歯状部１０４Ａ，１０４Ｂの近位端２００Ａ，２００Ｂが第１の幅２１６Ａ，２１６Ｂを有し、且つ各歯状部１０４Ａ，１０４Ｂの湾曲した遠位端２０４Ａ，２０４Ｂが第１の幅２１６Ａ，２１６Ｂよりも短い第２の幅２２０Ａ，２２０Ｂを有するようにテーパーが付けられる。歯状部１０４Ａ，１０４Ｂは、実質的に一定の高さ２２４Ａ，２２４Ｂを有する。隣接する歯状部１０４Ａ，１０４Ｂの間には、均等な間隔２２８Ａ，２２８Ｂがある。隣接する歯状部１０４Ａ，１０４Ｂの間の間隔２２８Ａ，２２８Ｂは、歯状部１０４Ａ，１０４Ｂの第１の幅２１６Ａ，２１６Ｂと実質的に等しい。歯状部１０４Ａ，１０４Ｂの第１の幅２１６Ａ，２１６Ｂは、約４ｍｍ〜約２５ｍｍの範囲とすることができる。歯状部１０４Ａ，１０４Ｂの長さ２０８Ａ，２０８Ｂは、約４ｍｍ〜約８ｍｍの範囲とすることができる。歯状部１０４Ａ，１０４Ｂの高さ２２４Ａ，２２４Ｂは、約３ｍｍ〜約５ｍｍの範囲とすることができる。歯状部１０４Ａ，１０４Ｂ間の間隔２２８Ａ，２２８Ｂは、約４ｍｍ〜約２５ｍｍの範囲とすることができる。フレーム２６Ａ，２６Ｂの厚み２１２Ａ，２１２Ｂは、約６ｍｍ〜約１２ｍｍの範囲とすることができる。歯状部１０４Ａ，１０４Ｂは、高さ２２４Ａ，２２４Ｂ寸法及び幅寸法の両方で長さ２０８Ａ，２０８Ｂに沿って僅かなテーパーを有することができる。
【００２４】
図１Ｂに示すように、アームレスト２８Ｂは、ループ形状であり、開口２３２Ｂを含むことができる。アームレスト２８Ｂは、開口２３２Ｂに面する内側部分２３６Ｂと、開口２３２Ｂから外方に面する外側部分２４０Ｂと含むことができる。支持面２４４Ｂは、内側部分２３６Ｂと外側部分２４０Ｂとの間を延びることができる。一部の実施形態において、複数の第１の取付特徴要素１０２Ａ，１０２Ｂ（例えば、歯状部）はまた、アームレスト２８Ｂの外側部分２４０Ｂに沿って配置される。換言すると、アームレスト２８Ｂの構成は、フレーム２６Ｂと同様とすることができるが、形状及びサイズは異なる。アームレスト２８Ｂは、以下に記載されるキャリア３０Ａ，３０Ｂと懸架材料３４Ａ，３４Ｂと同様に、好適なキャリアを懸架材料と係合することができる。
【００２５】
図８Ａ及び図８Ｂに示すように、各キャリア３０Ａ，３０Ｂは、第１のサイドキャリア部材２４８Ａ，２４８Ｂ、第２のサイドキャリア部材２５２Ａ，２５２Ｂ、第１のクロスキャリア部材２５６Ａ，２５６Ｂ、及び第２のクロスキャリア部材２６０Ａ，２６０Ｂを含む。第１のサイドキャリア部材２４８Ａ，２４８Ｂ及び第２のサイドキャリア部材２５２Ａ，２５２Ｂは、第１の軸線２６６Ａ，２６６Ｂに沿って離間して配置され、これらの間に開口２６８Ａ，２６８Ｂを定める。第１のクロスキャリア部材２５６Ａ，２５６Ｂ及び第２のクロスキャリア部材２６０Ａ，２６０Ｂは、第１の軸線２６６Ａ，２６６Ｂに実質的に垂直な第２の軸線２７９Ａ，２７９Ｂに沿って離間して配置される。第１のクロスキャリア部材２５６Ａ，２５６Ｂ及び第２のクロスキャリア部材２６０Ａ，２６０Ｂは、開口２６８Ａ，２６８Ｂにわたって延び、第１のサイドキャリア部材２４８Ａ，２４８Ｂ及び第２のサイドキャリア部材２５２Ａ，２５２Ｂに連結される。第１のサイドキャリア部材２４８Ａ，２４８Ｂ、第２のサイドキャリア部材２５２Ａ，２５２Ｂ、第１のクロスキャリア部材２５６Ａ，２５６Ｂ、及び第２のクロスキャリア部材２６０Ａ，２６０Ｂは各々、開口２６８Ａ，２６８Ｂに内方に面する内側部分２７０Ａ，２７０Ｂと、開口２６８Ａ，２６８Ｂから外方に面する外側部分２７２Ａ，２７２Ｂとを含む。上側支持面２７４Ａ，２７４Ｂ及び下側支持面２７６Ａ，２７６Ｂは、内側部分２７０Ａ，２７０Ｂと外側部分２７２Ａ，２７２Ｂとの間に延びる。
【００２６】
図７Ａ及び図７Ｂに示すように、各キャリア３０Ａ，３０Ｂはまた、内側部分２７０Ａ，２７０Ｂに沿って配置された複数の第２の取付特徴要素２６２Ａ，２６２Ｂを含む。複数の第２の取付特徴要素２６２Ａ，２６２Ｂは、第１のサイドフレーム部材７８Ａ，７８Ｂ、第２のサイドフレーム部材８２Ａ，８２Ｂ、第１のクロスフレーム部材８６Ａ，８６Ｂ、及び第２のクロスフレーム部材９０Ａ，９０Ｂに向かって面する。複数の第２の取付特徴要素２６２Ａ，２６２Ｂは、該複数の第２の取付特徴要素２６２Ａ，２６２Ｂがキャリア３０Ａ，３０Ｂの内周を囲むようにキャリア３０Ａ，３０Ｂの内側部分２７０Ａ，２７０Ｂに沿って配置される。図６〜図７Ｄに示すように、第２の取付特徴要素２６２Ａ，２６２Ｂはアパーチャ２６４Ａ，２６４Ｂである。例示の実施形態において、アパーチャ２６４Ａ，２６４Ｂは、開口を貫通する。他の実施形態において、第２の取付特徴要素２６２Ａ，２６２Ｂは、キャビティとすることができる。キャリア３０Ａ，３０Ｂは、複数の第１の取付特徴要素１０２Ａ，１０２Ｂを複数の第２の取付特徴要素２６２Ａ，２６２と係合することによって、フレーム２６Ａ，２６Ｂに取り付けられる。一部の実施形態において、フレーム２６Ａ，２６Ｂ上の第１の取付特徴要素１０２Ａ，１０２Ｂは、アパーチャとすることができ、キャリア３０Ａ，３０Ｂ上の第２の取付特徴要素２６２Ａ，２６２は、歯状部とすることができる。
【００２７】
例示の実施形態において、第１のサイドキャリア部材２４８Ａ，２４８Ｂ、第２のサイドキャリア部材２５２Ａ，２５２Ｂ、第１のクロスキャリア部材２５６Ａ，２５６Ｂ、及び第２のクロスキャリア部材２６０Ａ，２６０Ｂは、閉ループ又はリングを形成する。例示のキャリア部材２４８Ａ，２４８Ｂ、２５２Ａ，２５２Ｂ、２５６Ａ，２５６Ｂ、２６０Ａ，２６０Ｂは、単一の均質なユニットとして一体的に形成される。キャリア３０Ａ，３０Ｂは、熱可塑性エラストマー、熱可塑性ウレタン、及び／又は無充填エラストマーから形成することができる。他の実施形態において、キャリア３０Ａ，３０Ｂは、離散的フレーム部材から形成することができる。
【００２８】
図８Ａ及び図８Ｂに示すように、各キャリア３０Ａ，３０Ｂは、内側部分２７０Ａ，２７０Ｂと外側部分２７２Ａ，２７２Ｂとの間に延びる、上側支持面２７４Ａ，２７４Ｂ及び下側支持面２７６Ａ，２７６Ｂを含む。上側支持面２８４Ａ，２８４Ｂは、図５〜図６に示すように、内側部分から外側部分まで下向きに湾曲している。上側支持面２８４Ａ，２８４Ｂは、内方に延びて懸架材料３４Ａ，３４Ｂ及びフレーム２６Ａ，２６Ｂの上部に載る部分を有する上側リップ２８０Ａ，２８０Ｂを含む。下側支持面２８８Ａ，２８８Ｂは、フレーム２６Ａ，２６Ｂの支持面１０１Ａ，１０１Ｂを係合することができる。第１のクロスキャリア部材２５６Ａ，２５６Ｂ及び第２のクロスキャリア部材２６０Ａ，２６０Ｂは、外方に延びる下側リップ２８６Ａ，２８６Ｂを含む。キャリア３０Ａ，３０Ｂはまた、該キャリア３０Ａ，３０Ｂの開口２６８Ａ，２６８Ｂから外方に開いたチャンネル３０４Ａ，３０４Ｂを含む。図５〜図６及び図７Ａ〜図７Ｄに示すように、一部の実施形態において、第１のサイドキャリア部材２４８Ａ，２４８Ｂ、第２のサイドキャリア部材２５２Ａ，２５２Ｂ、第１のクロスキャリア部材２５６Ａ，２５６Ｂ、及び第２のクロスキャリア部材２６０Ａ，２６０Ｂは各々、上側リップ２８０Ａ，２８０Ｂ及び下側リップ２８６Ａ，２８６Ｂを含むことができる。上側リップ２８０Ａ，２８０Ｂ及び下側リップ２８６Ａ，２８６Ｂは、垂直方向に離間して配置される。上側リップ２８０Ａ，２８０Ｂ及び下側リップ２８６Ａ，２８６Ｂは、複数の離間して配置されたポスト３１４Ａ，３１４Ｂによって連結される。ポスト３１４Ａ，３１４Ｂは、アパーチャ２６４Ａ，２６４Ｂを定める。図７Ｂを参照すると、一部の実施形態において、アパーチャ２６４Ａ，２６４Ｂは、上側及び下側ランディング３８０Ａ，３８０Ｂ、３８４Ａ，３８４Ｂ及び離間して配置されたポスト３１４Ａ，３１４Ｂによって定められる。離間して配置されたポスト３１４Ａ，３１４Ｂは、キャリア３０Ａ，３０Ｂがフレーム２６Ａ，２６Ｂと係合したときのキャリア３０Ａ，３０Ｂの張力に応答して、及び懸架材料３４Ａ，３４Ｂの外部装荷（例えば、ユーザの着座による）に応答してアパーチャ２６４Ａ，２６４Ｂの形状及び一体性を維持するのを助ける。
【００２９】
図７Ａ、図７Ｂ及び図７Ｄに示すように、アパーチャ２６４Ａ，２６４Ｂは、チャンネル３０４Ａ，３０４Ｂに沿って等間隔に配置される。アパーチャ２６４Ａ，２６４Ｂの深さは、ポスト３１４Ａ，３１４Ｂの深さ３２６Ａ，３２６Ｂと同じである。各アパーチャ２６４Ａ，２６４Ｂは、歯状部１０４Ａ，１０４Ｂの１つを受けるように構成された高さ３３２及び幅３３６を有する。図７Ａに示すように、歯状部１０４Ａ，１０４Ｂの遠位端２０４Ａ，２０４Ｂがチャンネル３０４Ａ，３０４Ｂ内に配置されるようにするために、歯状部１０４Ａ，１０４Ｂの遠位端２０４Ａ，２０４Ｂは、キャリア３０Ａ，３０Ｂがフレーム２６Ａ，２６Ｂと係合したときにポスト３１４Ａ，３１４Ｂの外側端部３４０Ａ，３４０Ｂと同じ高さにある。従って、チャンネル３０４Ａ，３０４Ｂは、キャリア３０Ａ，３０Ｂの外側端部３４０Ａ，３４０Ｂから内方方向で歯状部１０４Ａ，１０４Ｂの遠位端２０４Ａ，２０４Ｂを離隔又は離間して、歯状部１０４Ａ，１０４Ｂを衝撃損傷から保護している。図５、図６及び図７Ａに示すように、第１の取付特徴要素１０２Ａ，１０２Ｂの歯状部１０４Ａ，１０４Ｂの遠位端２０４Ａ，２０４Ｂは、開口２６８Ａ，２６８Ｂから外方に面するキャリア３０Ａ，３０Ｂの側部上でアパーチャ２６４Ａ，２６４Ｂを通して視認できる。換言すると、歯状部１０４Ａ，１０４Ｂは、座席構造体１０Ａ，１０Ｂの外周に沿って視認でき、「ジッパー状」の外観をもたらしている（図５〜図６）。
【００３０】
図５〜図６に示すように、懸架材料３４Ａ，３４Ｂは、キャリア３０Ａ，３０Ｂに取り付けられ、フレーム２６Ａ，２６Ｂによって定められる開口９８Ａ，９８Ｂにわたって延びる。懸架材料３４Ａ，３４Ｂは、エラストマー材料、織物、又は成形ポリマー材料など、織成又はニット材料から作ることができる。一部の実施形態において、懸架材料３４Ａ，３４Ｂは、座席構造体１０Ａ，１０Ｂの座部３２Ａ，３２Ｂ、背もたれ３６Ａ，３６Ｂ、もしくは連続座部及び背もたれを形成する。一部の実施形態において、フレーム２６Ｂ、キャリア３０Ｂ、及び懸架材料３４Ｂはまた、アームレスト２８Ｂを形成する。
【００３１】
懸架材料３４Ａ，３４Ｂは、キャリア３０Ａ，３０Ｂに結合される。例示の実施形態において、懸架材料３４Ａ，３４Ｂは、キャリア３０Ａ，３０Ｂ内に成形される。他の実施形態において、懸架材料３４Ａ，３４Ｂは、ボンディング、接着、機械的締結（例えば、ステープル、スクリュー、その他）又は同様のものによってキャリア３０Ａ，３０Ｂに結合することができる。懸架材料３４Ａ，３４Ｂがキャリア３０Ａ，３０Ｂに成形される実施形態において、懸架材料３４Ａ，３４Ｂの縁部３５６Ａ，３５６Ｂは、キャリア３０Ａ，３０Ｂの上側リップ２８０Ａ，２８０Ｂが懸架材料３４Ａ，３４Ｂの縁部３５６Ａ，３５６Ｂの上に載るようにキャリア３０Ａ，３０Ｂ内に取り込まれる。
【００３２】
キャリア３０Ａ，３０Ｂがフレーム２６Ａ，２６Ｂに取り付けられると、懸架材料３４Ａ，３４Ｂは、該懸架材料３４Ａ，３４Ｂが引張状態になるように、フレーム２６Ａ，２６Ｂによって定められる開口９８Ａ，９８Ｂを覆って伸張される。引張線３４８Ａ，３４８Ｂ（図９Ａ及び図９Ｂ）は、第１のサイドキャリア部材２４８Ａ，２４８Ｂと第２のサイドキャリア部材２５２Ａ，２５２Ｂとの間に形成される。
【００３３】
図９Ａ及び図９Ｂに示すように、キャリア３０Ａ，３０Ｂは、複数のリブ３６０Ａ，３６０Ｂを含む。リブ３６０Ａ，３６０Ｂは、上側リップ２８０Ａ，２８０Ｂの下側面２８８Ａ，２８８Ｂに沿って位置付けられ、フレーム２６Ａ，２６Ｂの支持面１０１Ａ，１０１Ｂを係合する。リブ３６０Ａ，３６０Ｂは、一般に、第１のクロスキャリア部材２５６Ａ，２５６Ｂ（図９Ａ及び図９Ｂに示すような）に沿って又はアームレスト２８Ｂに沿ってなど、点荷重を生じる可能性があるキャリア３０Ａ，３０Ｂの部分に沿って位置付けられる。複数のリブ３６０Ａ，３６０Ｂの各々は、一般に、テーパー付きトラスのような形状にされる。リブ３６０Ａ，３６０Ｂは、荷重を受けて圧壊可能又は撓み可能である。リブ３６０Ａ，３６０Ｂは、弾性材料及び関数様バネから作られる。リブ３６０Ａ，３６０Ｂは、弾性材料から作られて、バネのように機能する。リブ３６０Ａ，３６０Ｂは、加荷重を３６４に近接したリブ３６０Ａ，３６０Ｂだけが撓むように離散要素として形成される（図９Ｂ）。リブ３６０Ａ，３６０Ｂは、張力線３４８Ａ，３４８Ｂ（図９Ｂ）の上方に延びて、張力線３４８Ａ，３４８Ｂの上方で懸架材料３４Ａ，３４Ｂの一部を支持し、張力線３４８Ａ，３４８Ｂの上方に正の緩衝湾曲部を形成する。リブ３６０Ａ，３６０Ｂは、懸架材料３４Ａ，３４Ｂが加荷重３６４を受けたときに該懸架材料３４Ａ，３４Ｂがフレーム２６Ａ，２６Ｂの支持面１０１Ａ，１０１Ｂに接触するのを阻止する。リブ３６０Ａ，３６０Ｂは、例えば、ゴム又はシリコーンなど、弾性材料で作られる。図８Ａに示すように、上側リップ２８０Ａ，２８０Ｂの幅３６２Ａ，３６２Ｂ及びリブ３６０Ａ，３６０Ｂの長さは、フレーム２６Ａ，２６Ｂの輪郭に沿って変化することができる。
【００３４】
図１０Ａに示すように、一部の実施形態において、キャリア３０Ａ，３０Ｂは、短い上側リップ３６８Ａ，３６８Ｂを含むことができる。このような実施形態において、懸架材料３４Ａ，３４Ｂが加荷重３６４を受けると、懸架材料３４Ａ，３４Ｂは、破線によって識別される位置まで撓む。撓んだ懸架材料３４Ａ，３４Ｂは、フレーム２６Ａ，２６Ｂの支持面１０１Ａ，１０１Ｂに近接し、これによりユーザをフレーム２６Ａ，２６Ｂの硬質の支持面１０１Ａ，１０１Ｂに触れさせることができる。
【００３５】
図１０Ｂに示すように、一部の実施形態において、キャリア３０Ａ，３０Ｂは、細長い上側リップ３７２Ａ，３７２Ｂを含む。懸架材料３４Ａ，３４Ｂが加荷重３６４を受けると、該懸架材料３４Ａ，３４Ｂ及び細長い上側リップ３７２Ａ，３７２Ｂは、破線によって識別される位置まで撓む。このような実施形態において、細長い上側リップ３７２Ａ，３７２Ｂは、片持ちの弾性支持を提供し、懸架材料３４Ａ，３４Ｂは、荷重３６４を受けて僅かな撓みを生じる。ユーザは、依然として、フレーム２６Ａ，２６Ｂの硬質支持面１０１Ａ，１０１Ｂに接触することができるが、図１０Ａに示す実施形態におけるよりも少ない範囲である。
【００３６】
図１０Ｃは、キャリア３０Ａ，３０Ｂが細長い上側リップ３７２Ａ，３７２Ｂと該細長い上側リップ３７２Ａ，３７２Ｂから延びる複数のリブ３６０Ａ，３６０Ｂとを含む構成を例示している。懸架材料３４Ａ，３４Ｂが加荷重３６４を受けると、懸架材料３４Ａ，３４Ｂ、細長い上側リップ３７２Ａ，３７２Ｂ及びリブ３６０Ａ，３６０Ｂは、破線で識別される位置まで撓む。リブ３６０Ａ，３６０Ｂは、加荷重３６４が加わったときに引張線３４８Ａ，３４８Ｂの線にわたって懸架材料３４Ａ，３４Ｂの一部を保持して、緩衝作用を提供し、並びにユーザがフレーム２６Ａ，２６Ｂの支持面１０１Ａ，１０１Ｂに接触するのを阻止する。従って、細長い上側リップ３７２Ａ，３７２Ｂ及びリブ３６０Ａ，３６０Ｂは、ユーザが接触するフレーム２６Ａ，２６Ｂの一部に沿って（例えば、第１のクロスフレーム部材８６Ａ，８６Ｂに沿って又はアームレスト２８Ｂに沿って）位置付けられ、座席構造体１０Ａ，１０Ｂの縁部での圧点を低減するのを助けることができる。
【００３７】
図１１Ａ〜図１１Ｂは、代替の取付特徴要素を備えた、フレーム３７８及びキャリア３７９の一部を例示している。例示の実施形態において、フレーム３７８上の第１の取付特徴要素は、実質的に矩形のステム３７６及び返し付き遠位端３８０を有する歯状部１０４Ｃを含む。ステム３７６の幅３８４は、該ステム３７６の長さ３８８に沿って一定あるが、返し付き遠位端３８１の幅３９２は、ステム３７６の幅３８４よりも幅広である。キャリア３７９上の第２の取付特徴要素は、ステム３７６を受けるようなサイズにされた幅３９３を有するアパーチャ２６４Ｃを含む。各アパーチャ２６４Ｃの深さ３９４は、各ステム３７６の長さ３８８と実質的に同様とすることができる。返し付き遠位端３８０は、キャリア３７９チャンネル３９５内に延びることができる。各返し付き遠位端３８１の幅３９２は、各アパーチャ２６４Ｃの幅３９３よりも幅広である。返し付き遠位端３８０の幅広の幅３９２は、キャリア３７９の装荷に応答して、歯状部１０４Ｃがキャリア３７９から引き出されるのを阻止する。
【００３８】
図１２Ａ〜図１２Ｂは、代替の取付特徴要素を備えた、フレーム３９６及びキャリア３９８の一部を例示している。例示の実施形態において、フレーム３９６上の第１の取付特徴要素は、第１の形状を有する第１の歯状部４００と、第２の形状を有する第２の歯状部４０４とを含む。例示の第１の歯状部４００は矩形である。例示の第２の歯状部４０４は、実質的に矩形のステム３０６と、矩形ステム３７６と上述の遠位端３８０に類似した返し付き遠位端４０７とを有する。各第１の歯状部４０４は、ステム４０６の幅４０９と実質的に同じである幅４１１を有する。各第１の歯状部４０４はまた、長さ４１２を有する。キャリア３９８上の第２の取付特徴要素は、上述のアパーチャ２６４Ｃと実質的に同じであるアパーチャ２６４Ｄを含む。各アパーチャ２６４Ｄの深さ４１３は、各第１の歯状部４００の長さ４１２と実質的に同じである。キャリア３９８がフレーム３９６と係合されると、第２の複数の歯状部４０８の返し付き遠位端４０７は、アパーチャ２６４Ｄの深さ４１３を超えて延び、キャリア３９８のチャンネル４１０内に突出する。第１の歯状部４０４は、チャンネル４１０内には延びない。返し付き遠位端４０７の幅は、アパーチャ２６４Ｄの幅よりも幅広であるので、返し付き遠位端４０７は、キャリア３９８の装荷に応答して、歯状部４０４がキャリア３９８から引き出されるのを阻止する。
【００３９】
図１３Ａ〜図１３Ｂは、代替の取付特徴要素を備えた、フレーム４２０及びキャリア４２２の一部を例示している。例示の実施形態において、フレーム４２０上の第１の取付特徴要素は、比較的遠くに離間して配置された第１の歯状部１０４Ｅを含む。換言すると、歯状部１０４Ｅ間の間隔４２４は、各歯状部１０４Ｅの幅４２８よりも大きい。キャリア４２２上の第２の取付特徴要素は、アパーチャ２６４Ｅである。アパーチャ２６４Ｅ間の間隔４３２は、歯状部１０４Ｅ間の間隔４２４に相当する。例示の実施形態において、アパーチャ２６４Ｅはキャビティである。アパーチャ２６４Ｅは、フレーム４２０がキャリア４２２と契合したときに歯状部１０４Ｅが見えないようにするため、キャリア４２２の幅４３４よりも小さい深さ４３６を有する。
【００４０】
図１４Ａ〜図１４Ｃは、代替の取付特徴要素を備えた、フレーム４３７及びキャリア４３８の一部を例示している。例示の実施形態において、フレーム４３７は、アパーチャ２６４Ｆである複数の第１の取付特徴要素を含む。キャリア４３８は、歯状部１０４Ｆである複数の第２の取付特徴要素を含む。アパーチャ２６４Ｆは、等間隔で配置され、矩形断面を有する。アパーチャ２６４Ｆ間の間隔４４０は、アパーチャ２６４Ｆの幅４４４と実質的に同じである。歯状部１０４Ｆは、矩形断面を有し、アパーチャ２６４Ｆの深さ４５２と実質的に同じである長さ４４８を有する。
【００４１】
図１５Ａ〜図１５Ｃは、代替の取付特徴要素を備えた、フレーム４５８及びキャリア４５９の一部を例示している。例示の実施形態において、キャリア４５９は、第１の複数の歯状部４６０、第２の複数の歯状部４６４、及び第３の複数の歯状部４６８を含む。歯状部４６０，４６４，４６８は、等しくない幅を有する。各第１の歯状部４６０は、第１の幅４７２を有する。各第２の歯状部４６８は、第１の幅４７２よりも幅広の第２の幅４７６を有する。各第３の歯状部４６８は、第２の幅４７６よりも幅広の第３の幅４８０を有する。第１の歯状部４６０、第２の歯状部４６８及び第３の歯状部４６８は、等間隔に配置することができる。例示の実施形態において、歯状部４６０，４６４，４６８間の間隔４８４は、第１の幅４７２と同じである。フレーム４５８は、第１の複数のアパーチャ４８８、第２の複数のアパーチャ４９２、及び第３の複数のアパーチャ４９６を含む。アパーチャ４８８，４９２，４９６は、等しくない幅を有する。各第１のアパーチャ４８８は、第１の幅５００を有する。各第２のアパーチャ４９６は、第１の幅５００よりも幅広の第２の幅５０４を有する。各第３のアパーチャ４９６は、第２の幅５０４よりも幅広の第３の幅５０４を有する。第１のアパーチャ４８８、第２のアパーチャ４９６、及び第３のアパーチャ４９６は、第１の歯状部４６０、第２の歯状部４６４及び第３の歯状部をそれぞれ受けるように構成される。
【００４２】
図１６Ａ〜図１６Ｂは、湾曲部５１２を含むフレーム５１０と、湾曲部５２６を含むキャリア５１４とを例示している。フレーム５１０は、等しい幅で等間隔に配置された複数のアパーチャ２６４Ｇを有する直線部５５９を含む。フレーム５１０の湾曲部５１２は、単一の細長いアパーチャ５６７を有する。キャリア５１６は、等しい幅で等間隔に配置された歯状部１０４Ｇを有する直線部５６３を含む。アパーチャ２６４Ｇの間隔５６５は、歯状部１０４Ｇの幅５７１にほぼ等しい。キャリア５１４の湾曲部５１６は、単一の細長い歯状部５８４を含む。フレーム５１０の湾曲部５１２における単一の細長いアパーチャ５６７及びキャリア５１４の湾曲部５１６における単一の細長い歯状部５８４は、フレーム５１０及びキャリア５１４の製造並びに座席構造体１０Ａ，１０Ｂの組み付けを容易にすることができる。
【００４３】
図１７は、本発明を具現化する座席構造体５４４を例示している。例示の座席構造体５４４は、サドル型スツールである。スツールは、基部５４５、支持コラム５４６、フレーム５４８、キャリア５５２、及び懸架材料５５６を含む。座席構造体５４４のフレーム５４８、キャリア５５２、及び懸架材料５５６は、相対的に高く狭い前部と、相対的に短く幅広の後部とを有するスツールを形成するよう構成される。
【００４４】
図１８Ｂに示すように、フレーム５４８は、前方部分５６０、第１の側方部分５６４、第２の側方部分５６８、及び後方部分５７２を含む。前方部分５６０は、垂直方向に延び、実質的にアーチ型とすることができる。前方部分５６０は、後方部分５７２から離間して配置され、これらの間に開口５８０を定める。第１の側方部分５６４及び第２の側方部分５６８は、離間して配置され、前方部分５６０及び後方部分５７２に垂直である。例示の実施形態において、前方部分５６０、第１の側方部分５６４、第２の側方部分５６８、及び後方部分５７２は、共に連結されて閉ループ又はリングを形成する。
【００４５】
図１８Ｂ〜図１８Ｃに示すように、後方部分５７２は、前方部分５６０の幅５９２よりも幅広の拡大幅５８８を有する。第１の側方部分５６４及び第２の側方部分５６８は、開口５８０の幅５９６が前方部分５６０から後方部分５７２まで増大するような形状にされる。交差部６００は、第１の側方部分５６４と第２の側方部分５６８との間に位置付けられる。支持コラム５４６は、交差部６００に取り付けられる。例示の実施形態において、第１の側方部分５６４及び第２の側方部分５６８は、湾曲形状を有する。前方部分５６０は、第１の側方部分５６４及び第２の側方部分５６８の高さよりも大きい高さを有する。
【００４６】
フレーム５４８は、支持面６０４及び外周部６０８を含む。外周部６０８は、複数の外方に延びる第１の取付特徴要素６１０を含む。例示の実施形態において、第１の取付特徴要素６１０は歯状部６１１である。他の実施形態において、第１の取付特徴要素６１０はアパーチャとすることができる。例示の実施形態において、第１の取付特徴要素６１０の一部は、フレーム５４８と一体的に形成される。図１７に例示される実施形態において、フレーム５４８はまた、第１の取付特徴要素６１０を有する別個のインサート部材６１２を含む。
【００４７】
図１７に示すように、キャリア５５２は、前方部分６１６、第１の側方部分６２０、第２の側方部分６２４及び後方部分６２８を含む。前方部分６１６は、後方部分６２８から離間して配置される。第１の側方部分６２０及び第２の側方部分６２４は、離間して配置され、前方部分６１６及び後方部分６２８に実質的に垂直である。前方部分６１６、第１の側方部分６２０、第２の側方部分６２４、及び後方部分６２８は、共に連結されて連続ループ又はリングを形成する。
【００４８】
キャリア５５２は、支持面６４４及び内周部６４８を含む。複数の第２の取付特徴要素６５０は、内周部６４８からうち向きに延びる。例示の実施形態において、第２の取付特徴要素６５０はアパーチャ６５１である。他の実施形態において、第２の取付特徴要素６５０は歯状部とすることができる。キャリア５５２のアパーチャ６５１は、フレーム５４８の歯状部６１１を受けて、キャリア５５２をフレーム５４８に連結する。
【００４９】
懸架材料５５６は、キャリア５５２に結合される。例示の実施形態において、懸架材料５５６は、キャリア５５２内に成形される。代替の実施形態において、懸架材料５５６は、他の好適な結合手段を用いてキャリア５５２により取り付けることができる。懸架材料５５６は、エラストマー材料、織物、又は成形ポリマー材料など、織成又はニット材料から作ることができる。
【００５０】
複数の第１の取付特徴要素１０２Ａ，１０２Ｂを複数の第２の取付特徴要素２６２Ａ，２６２Ｂに係合することによって、キャリア５５２がフレーム５４８に連結されると、懸架材料５５６は、フレーム５４８の開口５８０にわたって伸張される。図１７に示すように、キャリア５５２がフレーム５４８に取り付けられると、懸架材料５５６はサドル形状を形成する。フレーム５４８の前方部分５６０は、サドルの「ホーン」部分を定め、フレーム５４８の後方部分５７２は、隆起した後方支持部分を形成し、２つの湾曲した側方部分５６４，５６８は、ユーザの大腿部を係合するよう構成される。一部の実施形態において、キャリア５５２は、第１及び第２の側方部分５６４，５６８に沿ってなど、点荷重を生じることができるキャリア３０Ａ，３０Ｂの部分に沿って位置付けられた複数のリブ（リブ３６０Ａ，３６０Ｂと同様の）を含むことができる。
【００５１】
図１９Ａ〜図１９Ｅは、懸架材料のインモールド縁部を有するキャリア（上述のキャリアの何れかなど）を形成するのに使用される金型６５６を示している。金型６５６は、第１の金型要素６６０と第２の金型要素６６４とを含む。第１の金型要素６６０と第２の金型要素６６４は、これらの間にキャビティ６６８を定める。懸架材料は、該懸架材料の縁部がキャビティ６６８内に配置されるようにするため、第１の金型要素６６０と第２の金型要素６６４との間に取り込まれる。第２の取付特徴要素２６２Ａ，２６２Ｂがアパーチャ２６４Ａ，２６４Ｂである実施形態では、第１の金型要素６６０は、キャリアのアパーチャ２６４Ａ，２６４Ｂ、チャンネル３０４Ａ，３０４Ｂ、上面部３０８Ａ，３０８Ｂ、及び上側リップ２８０Ａ，２８０Ｂを定める特徴要素６７２（例えば、歯状部６７２’及び突出部６７２’）を含む。一部の実施形態において、特徴要素６７２は、同じ金型６５６を用いてキャリア３０Ａ，３０Ｂの異なる構成を成形できるようにするため取り外し可能なインサート６７６上にある。第２の金型要素６６４は、第１の金型要素６６０の特徴要素６７２の端部６８４に当接する壁６８０を有し、これによりキャリアに貫通開口又は凹部を形成及び定めるようにする。
【００５２】
キャリア３０Ａ，３０Ｂが形成されると、懸架材料３４Ａ，３４Ｂの縁部３５６Ａ，３５６Ｂは、図１９Ｂに示すように金型６５６内に位置付けられる。第１の金型要素６６０と第２の金型要素６６４は、該第１の金型要素６６０と第２の金型要素６６４が垂直方向に重ね合わされ、これらの間に縁部３５６Ａ，３５６Ｂが位置付けられるように閉鎖される。液化キャリア材料が、例えば、射出成形によって第１の金型要素６６０に定められた通路６８８を通ってキャビティ６６８内に導入される。キャビティ６６８内に配置された懸架材料３４Ａ，３４Ｂの縁部３５６Ａ，３５６Ｂの周りで液化キャリア材料を固化させる（図１９Ｃ）。液化キャリア材料が固化した後、第１の金型要素６６０は、該第１の金型要素６６０の歯状部６７２’に実質的に垂直な方向（例えば、垂直方向）で第２の金型要素６６４に対して開放されて、第１の金型要素６６０上でキャリア３０Ａ，３０Ｂを保持する（図１９Ｄ）。懸架材料３４Ａ，３４Ｂに力又は荷重が加えられ、キャリア３０Ａ，３０Ｂを第１の金型要素６６０から離型又は取り出す。
【００５３】
再度、図１Ａ〜図２Ｂを参照すると、キャリア３０Ａ，３０Ｂをフレーム２６Ａ，２６Ｂに取り付けるために、例えば、複数の外方に延びる歯状部１０４Ａ，１０４Ｂの１つをアパーチャ２６４Ａ，２６４Ｂの１つと整列させることにより、キャリア３０Ａ，３０Ｂの第２の取付特徴要素２６２Ａ，２６２Ｂのセクションは、フレーム２６Ａ，２６Ｂの第１の取付特徴要素１０２Ａ，１０２Ｂのセクションと整列する。次に、歯状部１０４Ａ，１０４Ｂの遠位端２０４Ａ，２０４Ｂがポスト３１４Ａ，３１４Ｂのうちの２つの間に配置されてチャンネル３０４Ａ，３０４Ｂに沿って同じ高さになるように、キャリア３０Ａ，３０Ｂのアパーチャ２６４Ａ，２６４Ｂが歯状部１０４Ａ，１０４Ｂの長さ２０８Ａ，２０８Ｂに沿って押し込まれる。次いで、歯状部１０４Ａ，１０４Ｂの全てがアパーチャ２６４Ａ，２６４Ｂの１つに受けられるまで、複数の歯状部１０４Ａ，１０４Ｂが複数のアパーチャ２６４Ａ，２６４Ｂと連続的に係合される。
【００５４】
アパーチャ２６４Ａ，２６４Ｂが貫通開口である実施形態において、この取り付けプロセスは、完全に視認することができ、歯状部毎に制御することができる。ローラ６９６，７００，７０４を含む工具６９２（図２０）は、キャリア３０Ａ，３０Ｂの周囲の周りを移動して、キャリア３０Ａ，３０Ｂをフレーム２６Ａ，２６Ｂに固定する。工具６９２のローラ６９６，７００は、キャリア３０Ａ，３０Ｂに押し付けられ、その周囲に沿って転動されて、キャリア３０Ａ，３０Ｂをフレーム２６Ａ，２６Ｂに連結する。ローラ７０４は、キャリア３０Ａ，３０Ｂの上側リップ２８０Ａ，２８０Ｂと下側リップ２８６Ａ，２８６Ｂとの間に定められるチャンネル３０４Ａ，３０４Ｂ内に載り、該チャンネルは、工具６９２のための軌道として機能する。キャリア３０Ａ，３０Ｂがフレーム２６Ａ，２６Ｂに取り付けられると、懸架材料３４Ａ，３４Ｂは、フレーム２６Ａ，２６Ｂによって定められる開口９８Ａ，９８Ｂにわたって引張状態に保持される。
【００５５】
本発明の様々な特徴要素及び利点が、添付の請求項に記載される。
【図１Ａ】
2018519101.tif 000003
【図１Ｂ】
2018519101.tif 000004
【図２Ａ】
2018519101.tif 000005
【図２Ｂ】
2018519101.tif 000006
【図３】
2018519101.tif 000007
【図４】
2018519101.tif 000008
【図５】
2018519101.tif 000009
【図６】
2018519101.tif 000010
【図７Ａ】
2018519101.tif 000011
【図７Ｂ】
2018519101.tif 000012
【図７Ｃ】
2018519101.tif 000013
【図７Ｄ】
2018519101.tif 000014
【図８Ａ】
2018519101.tif 000015
【図８Ｂ】
2018519101.tif 000016
【図９Ａ】
2018519101.tif 000017
【図９Ｂ】
2018519101.tif 000018
【図１０Ａ】
2018519101.tif 000019
【図１０Ｂ】
2018519101.tif 000020
【図１０Ｃ】
2018519101.tif 000021
【図１１Ａ】
2018519101.tif 000022
【図１１Ｂ】
2018519101.tif 000023
【図１２Ａ】
2018519101.tif 000024
【図１２Ｂ】
2018519101.tif 000025
【図１３Ａ】
2018519101.tif 000026
【図１３Ｂ】
2018519101.tif 000027
【図１４Ａ】
2018519101.tif 000028
【図１４Ｂ】
2018519101.tif 000029
【図１４Ｃ】
2018519101.tif 000030
【図１５Ａ】
2018519101.tif 000031
【図１５Ｂ】
2018519101.tif 000032
【図１５Ｃ】
2018519101.tif 000033
【図１６Ａ】
2018519101.tif 000034
【図１６Ｂ】
2018519101.tif 000035
【図１７】
2018519101.tif 000036
【図１８Ａ】
2018519101.tif 000037
【図１８Ｂ】
2018519101.tif 000038
【図１８Ｃ】
2018519101.tif 000039
【図１９Ａ】
2018519101.tif 000040
【図１９Ｂ】
2018519101.tif 000041
【図１９Ｃ】
2018519101.tif 000042
【図１９Ｄ】
2018519101.tif 000043
【図１９Ｅ】
2018519101.tif 000044
【図２０】
2018519101.tif 000045
【国際調査報告】
2018519101.tif 000046
2018519101.tif 000047